(57)【特許請求の範囲】
【請求項１】
勾配屋根及び陸屋根を含む建物の前記勾配屋根側の天井フレームの上側に配置される室内機と、
建物の前記陸屋根側の天井フレームの下側に配置される天井板を含んで構成された下がり天井部内に設置された陸屋根側の空調設備機器と、
前記下がり天井部内に配策されて前記室内機及び前記陸屋根側の空調設備機器に接続され、空調空気が通されるダクトと、
を備え、前記ダクトは、前記下がり天井部が前記陸屋根側から前記勾配屋根側の天井フレームの下側に延設された延設部内に配策されて前記下がり天井部内に配策された建物の空調設備。
【請求項２】
前記延設部は、前記陸屋根側から前記勾配屋根の下側の仕切り壁まで延設されている請求項１に記載の建物の空調設備。
【請求項３】
前記ダクトは、前記勾配屋根側の天井フレームにおいて、前記延設部に位置する部位を貫通して配索されている請求項１又は請求項２に記載の建物の空調設備。
【発明の詳細な説明】
【技術分野】
【０００１】
本発明は、建物の空調設備に関する。
【背景技術】
【０００２】
住宅などの建物に設置される空調設備は、屋外に室外機が設置されると共に、屋内（建物内）に室内機が設置され、室外機と室内機との間で循環される冷媒により生成された空調風（温風又は冷風）が室内機から建物内の居住空間に供給されて、居住空間が空調される。
【０００３】
特許文献１の空気調和システムでは、２階側空調用の室内機が屋根裏に設置されている。また、各部屋の屋根裏には吹出チャンバが配置されており、室内機で得られた調和空気が、屋根裏に設置された調和空気供給用ダクト及び分岐チャンバを介して吹出チャンバに供給されて各部屋に吹出される。また、各部屋は、連通孔により連通されており、空調される各部屋の空気が連通孔を介して吸込みチャンバに吸い込まれて室内機に戻される。
【先行技術文献】
【特許文献】
【０００４】
【特許文献１】特開平１０−１６０１９８号公報
【発明の概要】
【発明が解決しようとする課題】
【０００５】
ところで、建物においては、勾配屋根が設けられることで天井裏空間を形成することができ、天井裏空間に室内機、吸込みダクト、吸込みチャンバー、吹出しダクト、及び吹出しチャンバー等の空調設備の設備機器を配置することができる。
【０００６】
しかしながら、建物の屋根には、流れ屋根等の勾配屋根と陸屋根とを組わせた複合屋根がある。複合屋根の建物では、勾配屋根側の天井裏空間にダクトやチャンバーなどの空調設備機器を配置することができるが、陸屋根側には、天井裏の空間に空調設備機器を設けることが困難となっている。
【０００７】
本発明は上記事実に鑑みてなされたものであり、陸屋根を含む混合屋根の建物に設けられる建物の空調設備を提供することを目的とする。
【課題を解決するための手段】
【０００８】
上記目的を達成するための第１の態様は、勾配屋根及び陸屋根を含む建物の前記勾配屋根側の天井フレームの上方に配置される室内機と、建物の前記陸屋根側の天井フレームの下方に配置される天井板を含んで構成された下がり天井部内に設置された陸屋根側の空調設備機器と、前記室内機及び前記陸屋根側の空調設備機器に接続されると共に、前記下がり天井部内に配置されて空調空気が通されるダクトと、を備えている。
【０００９】
第１の態様では、室内機と吹出しチャンバーを含む空調設備機器とがダクトにより接続されており、室内機により生成された空調空気がダクトを通って空調設備機器に供給されることで、建物の空調空間が空調される。建物の屋根は、陸屋根と屋根面が傾斜された勾配屋根とが形成された所謂混合屋根設となっており、勾配屋根においては、天井フレームの上方に天井裏空間が形成可能となっている。また、建物には、陸屋根側に下がり天井部が設けられており、下がり天井部は、天井フレームの下側に天井板が配置されて、天井フレームと天井板との間に空間が設けられている。
【００１０】
ここで、室内機は、勾配屋根側の天井フレームの上方に配置されており、陸屋根側の空調設備機器が下がり天井部内に設置されている。また、ダクトは、室内機に接続されると共に、下がり天井部内に配置されて、室内機により生成された空調空気が通される。
【００１１】
これにより、混合屋根の建物において、室内機を勾配屋根側の天井裏空間に配置しても、陸屋根側の空調設備機器に空調空気を供給して、陸屋根側の空調空間を空調することができる。
【００１２】
第２の態様は、第１の態様において、前記下がり天井部は、前記陸屋根側から前記勾配屋根の途中まで延設されている。
【００１３】
第２の態様では、陸屋根側に設けている下がり天井部が、勾配屋根側に延設されている。また、勾配屋根側において下がり天井部は、勾配屋根の途中までの位置とされている。建物において、下がり天井部は、間仕切り壁に区画された居室、廊下、物入れなどの空間において、天井の少なくとも一部分が下げられて形成される。このような下がり壁を設けることで、居住空間が僅かながら狭くなってしまう。
【００１４】
ここで、勾配屋根側において下がり天井部が延設される範囲を勾配屋根の途中までとすることで、下がり天井部により建物内の居住空間が狭められるのを抑制できる。
【００１５】
第３の態様は、第２の態様において、前記ダクトは、前記勾配屋根側の天井フレームにおいて、前記下がり天井部の前記勾配屋根側への延設部に位置する部位を貫通して配索されている。
【００１６】
第３の態様では、勾配屋根側の天井フレームが勾配屋根側に延設された下がり天井部の延設部に位置する部位において、ダクトが天井フレームを貫通されて配索されている。
【００１７】
これにより、勾配屋根側においてダクトが天井フレームを貫通する部分に下がり天井を形成する必要がないと共に、ダクトを勾配屋根側の下がり天井部内へ向けて配索するための下がり天井を形成する必要がない。従って、建物内に形成される天井に複雑な凹凸が生じることがなく、天井の美観が損ねられるのを防止できる。
【発明の効果】
【００１８】
以上説明したように第１の態様によれば、陸屋根を含む混合屋根の建物において、勾配屋根側の天井裏空間に室内機を配置しても、陸屋根側の空調空間を空調することができる、という効果が得られる。
【００１９】
第２の態様によれば、下がり天井部により建物内の居住空間が狭められていると感じるのを抑制できる、という効果が得られる。
【００２０】
第３の態様では、建物の天井の形状が複雑化してしまうのを抑制できる、という効果が得られる。
【図面の簡単な説明】
【００２１】
【図１】本実施の形態に係る建物の内部を側面した概略構成図である。
【図２】建物を形成する居室用ユニット及び屋根用ユニットの概略を示す斜視図である。
【図３】空調設備の設備機器の配置の概略を示す斜視図である。
【発明を実施するための形態】
【００２２】
以下、図面を参照して、本発明の実施例を詳細に説明する。
図１には、本実施の形態に係る建物１０の概略構成が側方視にて示されている。本実施の形態に係る建物１０は、ユニット式住宅とされている。図２には、建物１０を形成するユニットが斜視図にて示されている。
【００２３】
図１に示されるように、建物１０は２階建てとされていると共に、屋根が勾配屋根１２と陸屋根１４の混合屋根とされており、境界部１４Ａにおいて勾配屋根１２と陸屋根１４とに分けられる。図２に示されるように、建物１０には、複数の居室用ユニット１６、及び屋根用ユニット１８が設けられる。建物１０は、複数の居室用ユニット１６が水平方向（縦横）に配列されると共に上下に重ねられており、縦横及び上下に隣接する居室用ユニット１６が互いに連結されて、１階部分及び２階部分が形成される。また、建物１０は、２階部分の居室用ユニット１６上に屋根用ユニット１８が連結されて勾配屋根１２が形成されており、境界部１４Ａにおいて勾配屋根１２とは反対側の居室用ユニット１６の上部に陸屋根１４が形成されている。なお、勾配屋根１２は、鉄骨等が用いられて居室用ユニット１６上に枠組みされて形成されても良い。
【００２４】
居室用ユニット１６には、４本のフレーム側柱２０が設けられており、４本のフレーム側柱２０の上部に天井フレーム２２が形成されると共に、４本のフレーム側柱２０の下部に床フレーム２４が形成されている。天井フレーム２２は、一対の桁天井大梁２６Ａ及び一対の妻天井大梁２６Ｂの端部がフレーム側柱２０の上部の接合部材２０Ａに剛接合されて矩形枠状とされている。また、天井フレーム２２は、各々が妻天井大梁２６Ｂと並行とされた複数の天井小梁２６Ｃが桁天井大梁２６Ａの間に配置されており、天井小梁２６Ｃの各々の端部が桁天井大梁２６Ａに接合されている。これにより、天井フレーム２２が略梯子状に形成されている。
【００２５】
床フレーム２４には、一対の桁床大梁２８Ａ及び一対の妻床大梁２８Ｂの端部がフレーム側柱２０の下部の接合部材２０Ｂに剛接合されて矩形枠状とされている。また、床フレーム２４は、各々が妻床大梁２８Ｂと並行とされた複数の床小梁２８Ｃが桁床大梁２８Ａの間に配置されており、床小梁２８Ｃの各々の端部が桁床大梁２８Ａに接合されている。これにより、床フレーム２４が略梯子状に形成されている。
【００２６】
居室用ユニット１６には、天井フレーム２２の天井小梁２６Ｃを天井下地として又は天井小梁２６Ｃから吊り下げた天井下地に天井板３０が配置されて天井が形成される。また、居室用ユニット１６には、床フレーム２４の床小梁２８Ｃを床下地として又は床小梁２８Ｃに配置された図示しない根太を床下地として、床下地上に床板３２が配置されて床が形成される。なお、床は、床フレーム２４に配置した根太の間に断熱材を敷き詰めて、断熱材の上に複数枚の板材（床板３２）が重ねられて形成されても良い。
【００２７】
勾配屋根１２としては、切妻屋根、寄棟屋根、片流れ屋根などの任意の形態を適用できる。本実施の形態では、勾配屋根１２として片流れ屋根が適用されている。図２に示されるように、屋根用ユニット１８には、２本のフレーム側柱３６及び屋根フレーム３８が設けられており、２本のフレーム側柱３６が棟側に配置されている。屋根フレーム３８には、棟上梁３８Ａ、軒梁３８Ｂ、及び一対の妻上梁３８Ｃが設けられており、妻上梁３８Ｃの各々の端部が棟上梁３８Ａの端部及び軒梁３８Ｂの端部に接合されている。これにより、屋根フレーム３８が矩形枠状に形成されている。また、棟上梁３８Ａと軒梁３８Ｂとの間には、妻上梁３８Ｃに並行とされた複数の屋根小梁３８Ｄが設けられており、屋根小梁３８Ｄの各々が棟上梁３８Ａ及び軒梁３８Ｂに接合されている。
【００２８】
また、屋根用ユニット１８には、棟上梁３８Ａと平行とされた棟下梁３８Ｅが設けられていると共に、長手方向が水平方向に配置される妻下梁３８Ｆが対で設けられている。フレーム側柱３６の上部には、棟上梁３８Ａの端部に接合され、下部には、棟下梁３８Ｅの端部が接続されている。また、妻下梁３８Ｆは、一方の端部が棟下梁３８Ｅの下部に接合され、他方の端部が軒梁３８Ｂの端部に接続されている。これにより、屋根用ユニット１８は、妻側から見た側面が三角形状とされて、棟上梁３８Ａ側が上方となるように屋根フレーム３８が傾斜されている。
【００２９】
屋根用ユニット１８は、２階の居室用ユニット１６上に配置されて、フレーム側柱３６の下端部が、居室用ユニット１６のフレーム側柱２０の上端部に剛接合される。また、屋根用ユニット１８は、軒梁３８Ｂが２階の居室用ユニット１６の妻天井大梁２６Ｂ（桁天井大梁２６Ａでも良い）の上方に配置されてフレーム側柱２０の上端部に剛接合される。なお、屋根用ユニット１８は、フレーム側柱３６の下端部が、居室用ユニット１６の桁天井大梁２６Ａ又は妻天井大梁２６Ｂに接合され、妻下梁３８Ｆに居室用ユニット１６のフレーム側柱２０の上端部が接合されても良い。
【００３０】
屋根用ユニット１８には、屋根フレーム３８が下地とされて図示しない屋根パネルなどの屋根用部材が敷き詰められる。これにより、片流れ屋根とされた勾配屋根１２が形成され、建物１０は、屋根用ユニット１８が組み付けられた居室用ユニット１６の上方に天井裏空間が形成可能となっている。
【００３１】
居室用ユニット１６は、居住空間とされる内部が間仕切り壁により区画されることで、廊下、物入れなどの小部屋が形成される。また、居室用ユニット１６は、複数が水平方向に連通されることで、１つの居室用ユニット１６よりも広い居室等が形成される。
【００３２】
図１では、間仕切り壁３４により区画されて廊下１６Ａが形成され、勾配屋根１２側に居室１６Ｂが形成されていると共に、陸屋根１４側に居室１６Ｃが形成されており、居室１６Ｃが勾配屋根１２と陸屋根１４とに跨った位置とされている。また、建物１０は、勾配屋根１２の下側の天井フレーム２２を下地として天井板３０が取り付けられることにより、廊下１６Ａ及び居室１６Ｂの天井が形成されると共に、勾配屋根１２内に天井裏空間１２Ａが形成さている。
【００３３】
一方、建物１０には、空調設備としての空調設備４０が設けられており、空調設備４０は、建物１０の全館空調設備を形成している。図３には、建物１０内における空調設備４０の概略構成が斜視図にて示されている。
【００３４】
図１及び図３に示されるように、空調設備４０は、複数の空調設備機器により構成されている。空調設備機器には、室内装置としての室内機４２及び室外装置としての図示しない室外機が含まれており、室外機が建物１０の外部（屋外）に設置されている。本実施の形態において、室内機４２は、主に建物１０の階上（２階）の空調を担っている。なお、空調設備４０は、階下（１階）の空調空間の空調を担う室内機が別に設けられていても良く、また、建物１０は、空調設備４０とは別に階下の空調を担う空調設備が設けられていても良い。
【００３５】
室内機４２には、熱交換ユニット４２Ａ、及び図示しないファンが設けられた送風ユニット４２Ｂが一体に設けられており、熱交換ユニット４２Ａは、室外機との間が図示しない冷媒配管により接続されて、冷媒配管を介して室外機との間で冷媒が循環される。
【００３６】
また、空調設備４０には、空調設備機器として、勾配屋根１２側に吸込みチャンバー４４及び複数の吹出しチャンバー４６が設けられていると共に、陸屋根１４側には、陸屋根１４側の空調設備機器としての複数の吹出しチャンバー４８及び分岐チャンバー５０が設けられている。また、空調設備４０には、空調設備機器として吸込みダクト５２及び複数の吹出しダクト５４、５６、５８が設けられている。吹出しダクト５６がダクトとされ、吹出しチャンバー４８、分岐チャンバー５０、及び吹出しダクト５８が陸屋根１４側の空調設備機器（以下、総称する場合、設備機器６０とする）とされており、吹出しダクト５６が室内機４２と設備機器６０とを接続している。吸込みダクト５２及び吹出しダクト５４〜５８としては、円筒状の断熱性フレキシブルダクトが用いられており、吸込みダクト５２の内径が吹出しダクト５４〜５８の内径よりも大径とされている。
【００３７】
吸込みチャンバー４４には、吸込みダクト５２の一端が接続されており、吸込みダクト５２の他端が室内機４２の送風ユニット４２Ｂに接続されている。また、吹出しチャンバー４６には、吹出しダクト５４の一端が接続されており、吹出しダクト５４の他端が室内機４２の熱交換ユニット４２Ａに接続されている。
【００３８】
分岐チャンバー５０には、吹出しダクト５６の一端が接続されており、吹出しダクト５６の他端が室内機４２の熱交換ユニット４２Ａに接続されている。また、吹出しチャンバー４８の各々には、吹出しダクト５８の一端が接続されており、吹出しダクト５８の他端が分岐チャンバー５０に接続されている。なお、本実施の形態では、分岐チャンバー５０を設けているが、吹出しチャンバー４８が１つなどの少数の場合、分岐チャンバー５０を設けずに、吹出しダクト５６が吹出しチャンバー４８に接続されても良い。また、分岐チャンバーは、勾配屋根１２側にも設けられても良い。
【００３９】
室内機４２には、送風ユニット４２Ｂの図示しないファンが作動されることで、吸込みチャンバー４４を介して建物１０内の空気が吸い込まれる。室内機４２の熱交換ユニット４２Ａでは、送風ユニット４２Ｂに吸込まれた空気と冷媒との間で熱交換が行われて空調空気（暖気又は冷気）が生成される。また、吹出しダクト５４、５６には、熱交換ユニット４２Ａにより生成された空調空気が供給され、これにより、吹出しチャンバー４６、４８の各々に空調空気が供給され、吹出しチャンバー４６、４８の各々から空調空気が吹出される。
【００４０】
一方、室内機４２は、非空調空間とされている天井裏空間１２Ａ内に配置されており、室内機４２が居室用ユニット１６の桁天井大梁２６Ａ又は妻天井大梁２６Ｂに支持されている。また、空調設備４０では、廊下１６Ａの天井裏空間１２Ａ内に吸込みチャンバー４４が設けられており、居室１６Ｂの天井裏空間１２Ａ内に吹出しチャンバー４６が設けられている。吹出しチャンバー４４及び吸込みチャンバー４６は、天井フレーム２２又は天井フレーム２２の上側に取り付けられており、天井板３０には、吸込みチャンバー４４及び吹出しチャンバー４６に対応する位置が開口されていると共に、図示しないグリルが取り付けられている。また、空調設備４０では、吸込みダクト５２及び吹出しダクト５４が天井裏空間１２Ａ内に配索されている。
【００４１】
これにより、吸込みチャンバー４４が廊下１６Ａに向けて開口され、廊下１６Ａの空気が吸込みチャンバー４４から室内機４２に吸い込まれる。また、吹出しチャンバー４６が居室１６Ｂに向けて開口され、吹出しチャンバー４６から居室１６Ｂに空調空気が吹出される。なお、室内機４２は、吸込みチャンバー４４及び吸込みダクト５２を介して廊下１６Ａの空気を吸込んで取り込むが、これに限るものではない。室内機４２が廊下１６Ａの上方に配置されている場合、室内機４２に廊下１６Ａへ向けた開口部が形成されて、当該開口部から吸込みチャンバー４４に代えて又は吸込みチャンバー４４と共に廊下１６Ａの空気を吸込む構成としても良い。
【００４２】
一方、陸屋根１４は、居室用ユニット１６の天井フレーム２２よりも僅かに上方に形成されている。空調設備４０では、吹出しチャンバー４８及び分岐チャンバー５０が陸屋根１４側の天井フレーム２２の下側に配置されると共に、吹出しダクト５８が陸屋根１４側の天井フレーム２２の下側に配索されている。
【００４３】
吹出しダクト５６は、陸屋根１４側となる分岐チャンバー５０側が天井フレーム２２の下側に配索されており、勾配屋根１２側となる室内機４２側が天井フレーム２２の上方となる天井裏空間１２Ａ内に配索されている。この吹出しダクト５６の中間部は、勾配屋根１２と陸屋根１４との境界部１４Ａよりも勾配屋根１２側において、天井フレーム２２の天井小梁２６Ｃ（図２参照）の間を通されている。
【００４４】
一方、建物１０には、天井フレーム２２の下側に下がり天井部６２が形成されている。下がり天井部６２は、天井フレーム２２から所定高さだけ下げた位置に図示しない天井下地が形成されており、この天井下地に天井板３０が取り付けられて形成されている。
【００４５】
これにより、下がり天井部６２においては、床面（床板３２）から天井（天井板３０）までの高さである天井高さが、天井フレーム２２を下地として天井板３０を取り付けた場合（例えば、居室１６Ｂ側の天井）よりも低くされている。設備機器６０の各々は、下がり天井部６２内に収容されており、設備機器６０の各々が下がり天井部６２の天井板３０により隠蔽されている。
【００４６】
下がり天井部６２は、天井フレーム２２と天井板３０との間に設備機器６０を収容可能な空間が確保されていれば良く、床面からの高さ、平面上の範囲、及び平面形状などは、居室１６Ｃの美観、居室１６Ｃ内のデザインなどを考慮され設けられていれば良い。建物１０は、階上のレイアウトに基づいて設備機器６０の配置が定められることで、設備機器６０の配置に応じて下がり天井部６２が形成されても良く、また、予め下がり天井部６２の位置が定められている場合に、下がり天井部６２の位置に応じて設備機器６０の配置が定められても良い。
【００４７】
例えば、設備機器６０が、廊下、物入れ或いは洗面所などの狭い空間に設けられるか通る場合、下がり天井部６２は、当該空間の天井の全域が下げられて形成されることが好ましい。これにより、狭い空間において天井面に凹凸が形成されて複雑な形状となったり、当該空間の見た目が損なわれたりしてしまうのを防止できる。
【００４８】
また、居室１６Ｃなどの広い空間に下がり天井部６２を形成する場合、天井の一部を下げて形成されることが好ましく、居室１６Ｃのデザイン性、美観、利便性、雰囲気などの各種の条件が考慮されて形成されることがより好ましい。これにより、居室１６Ｃに下がり天井部６２を設けることにより違和感などが生じてしまうのを防止できる。
【００４９】
さらに、下がり天井部６２としては、空調設備の配列を考慮せずに、居室１６Ｃのデザイン性、照明効果などを考慮したものとし形成し、形成した下がり天井部６２に合わせて設備機器６０を配置するようにしても良い。
【００５０】
図１に示されるように、居室１６Ｃの廊下１６Ａ側の間仕切り壁３４は、境界部１４Ａよりも勾配屋根１２側とされており、下がり天井部６２は、間仕切り壁３４と屋外側の壁面にとの間に設けられている。また、下がり天井部６２は、間仕切り壁３４と屋外側の壁面戸を連結している壁面に沿って設けられている。これにより、下がり天井部６２は、陸屋根１４側から勾配屋根１２側に、勾配屋根１２の途中まで延設されており、下がり天井部６２において、勾配屋根１２側の部分が延設部６２Ａとされている。吹出しダクト５６は、延設部６２Ａにおいて天井フレーム２２を貫通するように配索されている。
【００５１】
吹出しチャンバー４８は、開口が下がり天井部６２の天井板３０に向け開口にもけられており、天井板３０には、吹出しチャンバー４８に対応する位置に図示しない開口部が設けられていると共に、図示しないグリルが配置されている。これにより、吹出しチャンバー４８が居室１６Ｃに向けて開口され、吹出しダクト５６、５８を介して供給される空調空気が吹出しチャンバー４８から居室１６Ｃへ吹出される。
【００５２】
なお、下がり天井部６２に設けられる吹出しチャンバー４８は、通常高さの天井と下がり天井部６２の下面との間の立ち上がり部分（下がり天井部の側面）に設けられて、下がり天井部６２の側面から居室１６Ｃ内に空調空気を吹出す構成とされていても良い。また、居室１６Ｃには、下がり天井部６２の下面及び下がり天井部６２の側面から空調空気が吹出されるように吹出しチャンバー４８が配置されていても良い。
【００５３】
廊下１６Ａと居室１６Ｂ、１６Ｃとを区画する間仕切り壁３４には、通気手段としての通気口３４Ａが形成されている。吹出しチャンバー４６、４８から空調空気が吹出されることで、居室１６Ｂ、１６Ｃの空気が通気口３４Ａを通って廊下１６Ａに流れ出す。これにより、室内機４２、居室１６Ｂ（又は居室１６Ｃ  ）及び廊下１６Ａとの間で空調空気が循環されて、居室１６Ｂ、１６Ｃと共に廊下１６Ａが空調される。
【００５４】
次に本実施の形態の作用を説明する。
空調設備４０の室内機４２は、吸込みチャンバー４４により廊下１６Ａ内の空気を吸い込んで空調空気を生成すると共に、吹出しダクト５４及び吹出しダクト５６、５８を介して吹出しチャンバー４６、４６に供給する。これにより、吹出しチャンバー４６、４８から吹出される空調空気により居室１６Ｂ、１６Ｃ及び廊下１６Ａが空調される。
【００５５】
ここで、建物１０の勾配屋根１２側には、天井フレーム２２の上側に室内機４２、吸込みチャンバー４４、吹出しチャンバー４６、吸込みダクト５２及び吹出しダクト５４が配置されて、勾配屋根１２内の天井裏空間１２Ａ内に収容されている。これにより、建物１０の勾配屋根１２側においては、空調設備４０が居住空間を狭めるのを抑制されている。
【００５６】
建物１０の陸屋根１４側には、天井フレーム２２の下側に、設備機器６０（吹出しチャンバー４８、分岐チャンバー５０及び吹出しダクト５８）が配置されている。また、建物１０の陸屋根１４側の居室１６Ｃには、下がり天井部６２が設けられており、設備機器６０が下がり天井部６２内に収容されている。また、下がり天井部６２内には、室内機４２に接続された吹出しダクト５６が配索されており、この吹出しダクト５６が設備機器６０（分岐チャンバー５０）に接続されている。
【００５７】
これにより、空調設備４０では、天井フレーム２２の上の隙間が狭い建物１０の陸屋根１４側に設備機器６０は配置されており、空調設備４０は、建物１０の天井裏空間１２Ａ内に配置されている室内機４２から供給する空調空気により陸屋根１４側の居室１６Ｃを空調できる。しかも、下がり天井部６２は、空調設備４０の設備機器６０専用である必要がないので、陸屋根１４側に設備機器６０を設けるのみのために居住空間が狭められるのを抑制できる。
【００５８】
また、下がり天井部６２の延設部６２Ａは、勾配屋根１２の下側まで延設されており、吹出しダクト５６は、延設部６２Ａにおいて天井フレーム２２を貫通されて配索されている。これにより、吹出しダクト５６を収容するための下がり天井部６２が勾配屋根１２側に大きく拡がって、勾配屋根１２側の居住空間を狭めてしまうのを抑制できる。しかも、連続された吹出しダクト５６が用いられるので、空調空気の送風抵抗が低下するのを抑えることができる。
【００５９】
さらに、下がり天井部６２は、陸屋根１４側のみに設けずに、勾配屋根１２側に延設されるので、吹出しダクト５６が天井フレーム２２の上側から下側に配索される部分が勾配屋根１２側の居住空間の美観を損ねるのを抑制できる。
【００６０】
なお、居室１６Ｂと居室１６Ｃとの間に廊下１６Ａが無く、居室１６Ｂと居室１６Ｃとの間が１つの間仕切り壁３４により仕切られている場合、下がり天井部６２内の間仕切り壁３４に居室１６Ｂに向けて開口された吹出しチャンバーを設けても良い。これにより、勾配屋根１２側の居室１６Ｂには、吹出しチャンバー４６及び下がり天井部６２の吹出しチャンバーから空調空気が吹出されるので、居室１６Ｂの空調効率を向上できる。
【００６１】
なお、以上説明した本実施の形態は、ユニット式の建物１０を例に説明したが、建物はユニット式に限るものではなく、天井フレームは、木材等が用いられた天井梁によって形成されても良い。陸屋根は、天井梁により形成された天井フレーム上に屋根材が取り付けられると共に、天井梁により形成された天井フレームに天井板が取り付けられる。このために、天井梁に載せるように陸屋根が形成されることで、天井裏空間に設備機器６０を配置することが困難となることがある。このような建物においても、下がり天井部を形成して、下がり天井部に設備機器６０を収容することで、勾配屋根の天井裏空間に設けた室内機により陸屋根側の居住空間を空調することができる。
【符号の説明】
【００６２】
１０    建物
１２    勾配屋根
１２Ａ    天井裏空間
１４    陸屋根
１４Ａ    境界部
１６    居室用ユニット
１６Ａ    廊下
１６Ｂ、１６Ｃ    居室
１８    屋根用ユニット
２２    天井フレーム
３０    天井板
３４    間仕切り壁
４０    空調設備
４２    室内機
４８    吹出しチャンバー（陸屋根側の空調設備機器）
５０    分岐チャンバー（陸屋根側の空調設備機器）
５６    吹出しダクト（ダクト）
５８    吹出しダクト（陸屋根側の空調設備機器）
６０    設備機器（陸屋根側の空調設備機器）
６２    下がり天井部
６２Ａ    延設部
【図１】
0006576881.tif 000002
【図２】
0006576881.tif 000003
【図３】
0006576881.tif 000004